(57)【要約】【課題】支柱立設穴の形成が容易で、施工能率の向上を図ることができる手摺り支柱立設方法を提供する。【解決手段】内筒２外周面の両側部に隙間形成用凸段部５を突設した有底筒状内筒２と、両半割体３，３の夫々対向端面３ｏ，端面３ｏが各凸段部５の両側端面５ｏ，５ｏに当接するように内筒２に外嵌される一対の半割体３，３よりなる外筒４とで構成される支柱立設穴形成用金型１を、堰壁用型枠１３内に吊支した後、型枠１３内にコンクリート２０を打設し、その固化後に金型１の内筒２を外筒４から引き抜き、次いで外筒４の各半割体３上端部に夫々外側から打撃を与えて、凸段部５により形成された隙間Ｓを利用して両半割体３，３を夫々内側へ倒れ込ませることにより、各半割体３をコンクリート２０と分離して引き上げ、支柱立設穴Ｈに柱取付用アンカー２３を挿入して手摺り支柱を立設する。【選択図】図５
2012002003.tif 000002
【特許請求の範囲】
【請求項１】
内筒外周面の両側部に縦に延びる隙間形成用凸段部を突設した有底筒状の内筒と、両半割体の夫々対向端面が前記各凸段部の両側端面に当接するように内筒に外嵌される一対の半割体よりなる外筒とによって構成される支柱立設穴形成用金型を、堰壁用型枠内の支柱立設位置に吊支した後、前記型枠内にコンクリートを打設し、その固化後に前記金型の内筒を外筒から引き抜き、次いで外筒の各半割体上端部に夫々外側から打撃を与えて、前記凸段部により形成された隙間を利用して両半割体を夫々内側へ倒れ込ませるようにすることにより、各半割体をコンクリートと分離して引き上げ、それによって形成された堰壁の支柱立設穴に手摺り支柱又は支柱取付用アンカーを挿入して手摺り支柱を立設するようにした手摺り支柱の立設方法。
【請求項２】
請求項１に記載の手摺り支柱の立設方法に使用する支柱立設穴形成用金型であって、内筒外周面の両側部に縦に延びる隙間形成用凸段部を突設した有底筒状の内筒と、両半割体の対向端面が前記各凸段部の両端面に当接するように内筒に外嵌される一対の半割体よりなる外筒とからなり、内筒の上端部には内筒を堰壁用型枠に取り付けるための取付部片を設け、外筒の各半割体には上端部にボルト挿通用切欠溝を設け、この切欠溝に、内筒の上端部外面に突設したボルトを挿通してナットで締め付けることにより、内筒に外嵌した外筒を固定するようにしてなる支柱立設穴形成用金型。
【請求項３】
内筒は下窄まりテーパ状に形成され、外筒の両半割体は、下窄まりテーパ状内筒に外嵌するように形成されている請求項２に記載の支柱立設穴形成用金型。
【請求項４】
外筒の各半割体にはその外側面に多数の突起が形成されている請求項２又は３に記載の支柱立設穴形成用金型。
【発明の詳細な説明】
【技術分野】
【０００１】
本発明は、手摺り支柱をベランダ等の堰壁上に立設する手摺り支柱の立設方法及びこの方法に使用する支柱立設穴形成用金型に関する。
【背景技術】
【０００２】
コンクリートで形成されるベランダの堰壁上に手摺り支柱を立設する方法として、ベランダの室外端部に組立形成した堰壁用型枠の支柱立設位置に、支柱の下端部を形成する木材製の支柱立設穴形成用型枠をセットし、堰壁用型枠内にコンクリートを打設し、コンクリート固化後に、支柱立設穴形成用型枠を取り外して、形成された支柱立設穴に手摺り支柱の下端部又は支柱取付用アンカーを挿入し、モルタルや硬化性接着剤で固着して立設する方法がある。
【発明の概要】
【発明が解決しようとする課題】
【０００３】
上記のような方法においては、堰壁コンクリートの固化後に支柱立設穴形成用型枠を取り外す際に、その型枠の外周面にコンクリートが固着しているため、取り外しが困難で、通常は型枠をハンマー等で叩き割って取り外すようにしているが、その取り外し作業に非常な手間がかかって、施工能率を悪くし、またそのようにして取り外した支柱立設穴形成用型枠は再使用できないため、非常に不経済であった。
【０００４】
本発明は、上記の事情に鑑み、支柱立設穴の形成が容易で、施工能率の向上を図ることができる手摺り支柱の立設方法及びこの方法に使用する支柱立設穴形成用金型を提供することを目的とする。
【課題を解決するための手段】
【０００５】
上記課題を解決するための手段を、後述する実施形態の参照符号を付して説明すると、請求項１に係る発明の手摺り支柱の立設方法は、内筒２外周面の両側部に縦に延びる隙間形成用凸段部５を突設した有底筒状の内筒２と、両半割体３，３の夫々対向端面３ｏ，端面３ｏが前記各凸段部５の両側端面５ｏ，５ｏに当接するように内筒２に外嵌される一対の半割体３，３よりなる外筒４とによって構成される支柱立設穴形成用金型１を、堰壁用型枠１３内の支柱立設位置に吊支した後、前記型枠１３内にコンクリート２０を打設し、その固化後に前記金型１の内筒２を外筒４から引き抜き、次いで外筒４の各半割体３上端部に夫々外側から打撃を与えて、前記凸段部５により形成された隙間Ｓを利用して両半割体３，３を夫々内側へ倒れ込ませるようにすることにより、各半割体３をコンクリート２０と分離して引き上げ、それにより形成された堰壁１２の支柱立設穴Ｈに手摺り支柱又は支柱取付用アンカー２３を挿入して手摺り支柱を立設するようにしたことを特徴としている。
【０００６】
請求項２に係る発明は、請求項１に記載の手摺り支柱の立設方法に使用する支柱立設穴形成用金型であって、内筒２外周面の両側部に縦に延びる隙間形成用凸段部５を突設した有底筒状の内筒２と、両半割体３，３の対向端面３ｏ，３ｏが前記各凸段部５の両端面５ｏ，５ｏに当接するように内筒２に外嵌される一対の半割体３，３よりなる外筒４とからなり、内筒２の上端部には内筒２を堰壁用型枠１３に取り付けるための取付部片７を設け、外筒４の各半割体３には上端部にボルト挿通用切欠溝８を設け、この切欠溝８に、内筒２の上端部外面に突設したボルト６を挿通してナット１０で締め付けることにより、内筒２に外嵌した外筒４を 固定するようにしてなることを特徴とする
【０００７】
請求項３は、請求項２に記載の支柱立設穴形成用金型において、内筒２は下窄まりテーパ状に形成され、外筒４の両半割体３，３は、下窄まりテーパ状内筒２に外嵌するように形成されていることを特徴とする。
【０００８】
請求項４は、請求項２又は３に記載の支柱立設穴形成用金型において、外筒４の各半割体３にはその外側面に多数の突起１１が形成されていることを特徴とする。
【発明の効果】
【０００９】
上記解決手段による発明の効果を、後述する実施形態の参照符号を付して説明すると、請求項１に係る発明によれば、支柱立設穴形成用金型１を、堰壁用型枠１３内の支柱立設位置に吊支した後、堰壁用型枠１３内にコンクリート２０を打設し、その固化後に金型１の内筒２を外筒４から引き抜き、次いで外筒４の各半割体３上端部に夫々外側から打撃を与えて、前記凸段部５により形成された隙間Ｓを利用して両半割体３，３を内側へ倒れ込ませることにより、各半割体３をコンクリート２０と分離して引き上げ、それにより形成された堰壁１２の支柱立設穴Ｈに支柱取付用アンカー２３（又は手摺り支柱）を挿入して手摺り支柱を立設するようにしたから、堰壁１２の支柱立設位置に支柱立設穴Ｈを簡単容易に形成できて、施工能率を大幅に向上でき、しかも支柱立設穴形成用金型１は何度でも繰り返し使用できるため、非常に経済的である。
【００１０】
請求項２に係る発明によれば、支柱立設穴形成用金型１は、内筒２外周面の両側部に縦に延びる隙間形成用凸段部５を突設した有底筒状の内筒２と、両半割体３，３の対向端面３ｏ，３ｏが前記各凸段部５の両端面５ｏ，５ｏに当接するように内筒２に外嵌される一対の半割体３，３よりなる外筒４とからなるもので、内筒２の上端部には内筒２を堰壁用型枠１３に取り付けるための取付部片７を設け、外筒４の各半割体３には上端部にボルト挿通用切欠溝８を設け、この切欠溝８に、内筒２の上端部に突設したボルト６を挿通してナット１０で締め付けることにより、内筒２に外嵌した外筒４を 固定するようにしたから、使用に際しては、取付部片７を堰壁用型枠１３の所要箇所に取り付けるだけで、金具１全体を吊支することができ、そして内筒２を引き抜く時には、ナット１０を緩めてボルト６から取り外し、取付部片７を引っ張り上げることによって、内筒２を容易に引き抜くことができる。
【００１１】
請求項３に係る発明によれば、内筒２が下窄まりテーパ状に形成され、そして外筒４の両半割体３，３が下窄まりテーパ状内筒２に外嵌するように形成されているから、内筒２の引き抜き操作がより一層容易となる。
【００１２】
請求項４に係る発明によれば、外筒４の各半割体３にはその外側面に多数の突起１１が形成されていて、この突起１１により支柱立設穴Ｈの内壁面に多数の凹部２２を形成するから、支柱立設穴Ｈに支柱下端部又は支柱取付用アンカー２３を挿入する時に注入されるセメントモルタル２４又は硬化性接着剤が、その凹部２２に入り込んで硬化することにより、支柱立設穴Ｈの内壁面に対するセメントモルタル２４又は硬化性接着剤の食い付き効果によって、手摺り支柱を支柱立設穴Ｈに強固に立設することができる。
【図面の簡単な説明】
【００１３】
【図１】本発明に係る支柱立設穴形成用金型の一実施形態を示す斜視図である。
【図２】(a) は同上の金型の正面図、(b) は側面図である。
【図３】同上の金型を内筒と一対の半割体よりなる外筒とに分解した状態の斜視図である。
【図４】(a) は内筒の正面図、(b) は側面図、(c) は平面図、(d) は底面図である。
【図５】(a) は堰壁用型枠及びこれに吊支された支柱立設穴形成用金型を示す説明図であり、(b) は(a) のＡ−Ａ線断面図である。
【図６】手摺り支柱の立設方法を示すもので、(a) は堰壁用型枠内にコンクリートを打設した状態の説明図、(b) はコンクリートに埋まった支柱立設穴形成用金型を堰壁用型枠から切り離した状態の説明図である。
【図７】コンクリートに埋まった支柱立設穴形成用金型から内筒を引き抜いている状態の説明図である。
【図８】(a) は内筒を引き抜いて残った外筒の一対の半割体を示す説明図、(b) はその半割体を支柱立設穴から引き出している状態を示す説明図である。
【図９】(a) は形成された支柱立設穴に手摺り支柱を挿入している状態の説明図であり、(b) は支柱立設穴に挿入した手摺り支柱の下端部をモルタル等で固めた状態を示す説明図である。
【図１０】手摺りを設置した状態の斜視図である。
【発明を実施するための形態】
【００１４】
以下に本発明の好適な一実施形態を図面に基づいて説明すると、図１〜図３に示す支柱立設穴形成用金型１は、有底筒状の内筒２と、両側一対の半割体３，３からなる外筒４とによって構成される。内筒２は、図３及び図４から分かるように、ステンレス板によって前後側板２ａ，２ａと左右側板２ｂ，２ｂと底板２ｃとによって下窄まりテーパ状の有底角筒状体に形成され、左右各側板２ｂにはその幅方向中央部に縦方向に延びる隙間形成用凸段部５が突設されている。また内筒２の前後各側板２ａには上端部の幅方向中央部に、ボルト６が側板２ａの内側から貫通されて外向きに突設されている。また、内筒２の上端部には、この内筒２を後述する堰壁用型枠に取り付けるための取付プレート（取付部片）７が左右両側板２ｂ，２ｂ間に亘って固着されていて、この取付プレート７には、縦長の左右２つのボルト挿通用長孔７ａと、横長の金具引き抜き用長孔７ｂが設けてある。
【００１５】
外筒４の両半割体３，３は、図１及び図３に示すように、下窄まりテーパ状内筒２に対しその前後両側から外嵌するように形成されて、内筒２への外嵌時に両半割体３，３の夫々対向端面３ｏ，３ｏが内筒２の左右各側板２ｂに突設された凸段部５の両側端面５ｏ，５ｏに当接するようになっている。各半割体３は、前板部３ａと左右側板部３ｂ，３ｂとで断面略コ字状に形成されている。また各半割体３には、図３に示すように上端部にボルト挿通用切欠溝８が形成されていて、この切欠溝８に、内筒２の上端部外面に突出しているボルト６を挿通してワッシャー９を介してナット１０で締め付けることにより、内筒２に外嵌した外筒４を 固定するようになっている。また、各半割体３には前板部３ａ外側面には、多数の突起１１が形成されている。
【００１６】
図１及び図２は、内筒２に両側一対の半割体３，３からなる外筒４を嵌合して固定した状態を示し、図３は外筒４を形成する両側一対の半割体３，３を内筒２から取り外した状態を示す。図３に示す状態から内筒２に外筒４の両半割体３，３を取り付ける支柱立設穴形成用金型１を形成するには、両半割体３，３を内筒２の前後両側部に寄せ付けながら、各半割体３の上端部外面に突出している切欠溝８を内筒２側のボルト６に挿通し、そのボルト６にワッシャー９を介しナット１０を螺合して締めつけることにより、両半割体３，３が内筒２に嵌合されると共に、両半割体３，３の対向端面３ｏ，３ｏが前記凸段部５の両側端面５ｏ，５ｏに当接して、図１及び図２に示すような支柱立設穴形成用金型１を形成する。
【００１７】
図１及び図２に示す状態の支柱立設穴形成用金型１から内筒２と外筒４とを分離するときは、ナット１０を緩めて、このナット１０をワッシャー９と共にボルト６から取り外した後、内筒２を外筒４の両半割体３，３から上方へ引っ張り出すようにすればよい。
【００１８】
次に、上記のような支柱立設穴形成用金型１の使用による手摺り支柱の立設方法について、図５〜図１０を参照しながら説明する。
【００１９】
図５の(a) は図１０に示すようなベランダの堰壁１２を形成するための堰壁用型枠１３を示す断面図で、(b) は(a) のＡ−Ａ線断面図である。この堰壁用型枠１３は、周知のように合板等からなる室内側堰板１３ａ、室外側堰板１３ｂ、底板１３ｅ、及び角材等からなる支持枠１３ｃ、１３ｄによって形成されるもので、型枠内部には鉄筋１４が配設される。尚、支持枠１３ｄは、室内側堰板１３ａの下端部側を支持すると共に、ベランダの排水路１５（図１０参照）を形成する型枠として使用される。また、図５の(a) に示すように、室内側堰板１３ａの内壁面上端部及び室外側堰板１３ｂの内壁面上下端部に断面三角形状の突条片１３ｆが設けられるが、これらの突条片１３ｆは、形成される堰壁１２の隅角部を面取りするためのものである。また底板１３ｅの上壁面には水切り形成用の突条片１３ｇが設けられる。
【００２０】
さて、上記のような堰壁用型枠１３内に支柱立設穴形成用金型１を吊支するにあたり、図５の(a) ，(b) に示すように、堰壁用型枠１３の支柱立設位置に対応する室内側堰板１３ａ及び室外側堰板１３ｂの支持枠１３ｃ，１３ｃ上に木製の台座１６，１６を載置し、両台座１６，１６にわたってアングル材からなる梁材１７を架け渡し、この梁材１７の水平片１７ａから台座１６を通って支持枠１３ｃにわたるように釘又は木ネジ２１を打ち込み又はねじ込むことによって梁材１７を堰壁用型枠１３に固定する。
【００２１】
こうして堰壁用型枠１３上の所要位置に固定した梁材１７の垂直片１７ｂに設けてある２つのボルト挿通孔（図示せず）から、支柱立設穴形成用金型１の取付プレート（取付部片）７に設けてある２つの長孔７ａ，７ａに夫々ボルト１８を挿通してナット１９を螺合し、長孔７ａを利用して適宜に高さ調整した後、ナット１９を締め付けることによって、図５の(a) ，(b) に示すように堰壁７内の支柱立設位置に支柱立設穴形成用金型１を吊支する。この時、金型１の内外筒２，４の上端部が所要長さ（内外筒２，４の長さの例えば５分の１程度）、堰壁用型枠１３内のコンクリート打設上限ラインＬ（図５の(a) 参照）より上方に位置するように金型１を吊支して、外筒４を内筒２に固定しているボルト６・ナット１０が後記のように打設されるコンクリート２０に埋もれないようにする。
【００２２】
上記のように堰壁用型枠１３内に支柱立設穴形成用金型１を吊支した後、図６の(a) に示すように堰壁用型枠１３内にコンクリート２０を打設する。この時、コンクリート２０と直接に接する金型１の面は、外筒４を形成する両半割体３，３の夫々表面部と、内筒２の底板２ｃの下面部及び各隙間形成用凸段部５の表面部である。コンクリート２０が固化したならば、図６の(b) に示すように、金型１の取付プレート７を梁材１７に固定しているボルト１８・ナット１９を取り外し、釘又は木ネジ２１を抜いて梁材１７及び台座１６を撤去する。尚、堰壁用型枠１３は、コンクリート２０が十分に固化した時点で解体して撤去し、この型枠１３の解体撤去によって、形成された堰壁１２が露呈する。
【００２３】
それから、図６の(b) に示すように上端部を所要長さ残して堰壁７内に埋設されている支柱立設穴形成用金型１の内筒２と外筒４とを結合しているボルト６のナット１０を緩めて取り外した後、図７に示すように、金型１の内筒２を外筒４から引き抜く。この場合、外筒４を形成する各半割体３の表面全体が、金型１によって形成される支柱立設穴Ｈのコンクリート壁面に接着しているが、内筒２は、底板２ｃの下面部と各隙間形成用凸段部５の表面部が同コンクリート壁面に接着しているだけで、内筒２は、表面側の大部分が外筒４の両半割体３，３で覆われた状態にあるため、内筒２の隙間形成用凸段部５の上端部に外側から適当な打撃を加えるなどして内筒２に振動与えることにより、内筒２の底板２ｃ下面部及び隙間形成用凸段部５の表面部が支柱立設穴Ｈのコンクリート壁面から剥離されるため、取付プレート（取付部片）７の金具引き抜き用長孔７ｂに例えばバール等の棒材を突っ込んで引き上げることによって、比較的容易に金型１を引き抜くことができる。
【００２４】
上記のようにして内筒２を外筒４から引き抜くと、堰壁１２内には、外筒４を形成する一対の半割体３，３のみが残され、しかして両半割体３，３の夫々相対向する端面３ｏ，３ｏ間には、図７に示すように、引き抜いた内筒２の隙間形成用凸段部５，５によって、隙間Ｓ，Ｓが形成されるから、各半割体３の上端部に対し外側から同図に示すように打撃Ｐを与えて、半割体３を同図仮想線図示のように内側へ倒れ込ませることにより、各半割体３を図８の(a) に示すように、形成された支柱立設穴Ｈのコンクリート壁面から完全に剥離させることができ、それによって図８の(b) に示すように堰壁１２に支柱立設穴Ｈが形成される。また、支柱立設穴Ｈの内壁面には、各半割体３外側面の多数の凸部１１によって多数の凹部２２が形成される。
【００２５】
こうして堰壁１２の支柱立設位置に形成された支柱立設穴Ｈに、図９の(a) に示すように支柱取付用アンカー２３を挿入すると共に、同図の(b) に示すようにセメントモルタル２４を注入する。尚、セメントモルタル２４の代わりに硬化性接着剤を注入してもよい。セメントモルタル２４の場合は、硬化するのに１〜２日かかるから、その硬化を待って、支柱取付用アンカー２３には筒状手摺り支柱２５を嵌合する。図９の(b) に示すように、支柱立設穴Ｈの内壁面に形成された多数の凹部２２にはセメントモルタル２４が入り込んで硬化するため、その凹部２２に入り込んだセメントモルタル２４の食い付き効果により支柱取付用アンカー２３はセメントモルタル２４を介して堰壁１２と有効に一体化し、支柱取付用アンカー２３を堰壁１２の支柱立設穴Ｈに強固に立設することができる。
【００２６】
そして図１０に示すように、支柱取付用アンカー２３に筒状手摺り支柱２５を嵌合し、この筒状手摺り支柱２５をビス２６によって支柱取付用アンカー２３に固定し、それから笠木２７、横桟２８、縦桟２９を取り付けることにより、手摺り３０を設置することができる。
【００２７】
図９及び図１０に示す実施形態では、支柱立設穴形成用金型１によって堰壁１２に形成した支柱立設穴Ｈに支柱取付用アンカー２３を挿入してセメントモルタル２４又は硬化性接着剤により固定し、このアンカー２３に手摺り支柱２５を嵌合するようにしているが、支柱立設穴Ｈには手摺り支柱の下端部を直接挿入して、セメントモルタル２４又は硬化性接着剤により固定し、立設するようにしてもよい。
【００２８】
以上説明したように、本発明の手摺り支柱の立設方法は、支柱立設穴形成用金型１を、堰壁用型枠１３内の支柱立設位置に吊支した後、堰壁用型枠１３内にコンクリート２０を打設し、その固化後に金型１の内筒２を外筒４から引き抜き、次いで外筒４の各半割体３上端部に夫々外側から打撃を与えて、前記凸段部５により形成された隙間Ｓを利用して両半割体３，３を内側へ倒れ込ませるようにすることによって、各半割体３をコンクリート２０と分離して引き上げ、それにより形成された堰壁１２の支柱立設穴Ｈに支柱取付用アンカー２３（又は手摺り支柱）を挿入して手摺り支柱を立設するようにしたから、堰壁１２の支柱立設位置に支柱立設穴Ｈを簡単容易に形成できて、施工能率を大幅に向上でき、しかも支柱立設穴形成用金型１は何度でも繰り返し使用することができるため、きわめて経済的である。
【００２９】
また、支柱立設穴形成用金型１は、内筒２外周面の両側部に縦に延びる隙間形成用凸段部５を突設した有底筒状の内筒２と、両半割体３，３の対向端面３ｏ，３ｏが前記各凸段部５の両端面５ｏ，５ｏに当接するように内筒２に外嵌される一対の半割体３，３よりなる外筒４とからなるもので、内筒２の上端部には内筒２を堰壁用型枠１３に取り付けるための取付部片７を設け、外筒４の各半割体３には上端部にボルト挿通用切欠溝８を設け、この切欠溝８に、内筒２の上端部に突設したボルト６を挿通してナット１０で締め付けることにより、内筒２に外嵌した外筒４を 固定するようにしたから、使用にあたっては、取付部片７を堰壁用型枠１３の所要箇所に取り付けるだけで、金具１全体を吊支することができ、そして内筒２を引き抜く時には、ナット１０を緩めてボルト６から取り外して、取付部片７を引っ張りあげれることにより、内筒２を容易に引き抜くことができる。
【００３０】
また、この金型１では、内筒２が下窄まりテーパ状に形成され、そして外筒４の両半割体３，３が下窄まりテーパ状内筒２に外嵌するように形成されているから、内筒２の引き抜き操作がより一層容易となる。
【符号の説明】
【００３１】
１            支柱立設穴形成用金型
２            内筒
３            半割体
３ｏ          半割体の端面
４            外筒
５            隙間形成用凸段部
５ｏ          凸段部の側端面
６            ボルト
７            取付プレート（取付部片）
８            ボルト挿通用切欠溝
１０          ナット
１１          突起
１２          堰壁
１３          堰壁用型枠
【図１】
2012002003.tif 000003
【図２】
2012002003.tif 000004
【図３】
2012002003.tif 000005
【図４】
2012002003.tif 000006
【図５】
2012002003.tif 000007
【図６】
2012002003.tif 000008
【図７】
2012002003.tif 000009
【図８】
2012002003.tif 000010
【図９】
2012002003.tif 000011
【図１０】
2012002003.tif 000012